(57)【要約】【課題】本発明が解決しようとする課題は、一度にできるだけ複数の図面を正確に、かつ、見やすく閲覧でき、必要な情報の所在を利用者が素早く判断できる、図面表示装置を提供することである。【解決手段】  上記の課題を解決するために、本実施形態の図面表示装置は、図面に包含された複数のシートを配列し、配列された複数の前記シートを表示倍率によって図面要素の表示を切り替える図面配列機能部と、を有している。【選択図】図１
2018169916.tif 000002
【特許請求の範囲】
【請求項１】
図面に包含された複数のシートを配列し、配列された複数の前記シートを表示倍率によ
って図面要素の表示を切り替える図面配列機能部
を備えた図面表示装置。
【請求項２】
前記図面配列機能部は前記複数のシートの属性によって分割して配列する、請求項１に
記載の図面表示装置。
【請求項３】
文字部分のみを拡大して表示する、図面表示機能部を更に備えた、請求項１又は請求項
２に記載の図面表示装置。
【請求項４】
前記図面表示機能部は、表示倍率に応じて、シート番号のみを表示する方法、タイトル
を含んだシート番号のみを表示する方法、文字情報を除いた図面要素のみを表示する方法
、文字情報を含む図面要素のみを表示する方法、前記表示倍率におけるすべての図面要素
を表示する方法、のいずれかの方法で表示する、請求項１乃至請求項３のいずれか一項に
記載の図面表示装置。
【請求項５】
検索した文字列をハイライト表示する強調装置を備えた請求項1乃至請求項４のいずれか
一項に記載の図面表示装置。
【請求項６】
前記文字列を拡大して表示する強調装置を備えた請求項５に記載の図面表示装置。
【請求項７】
前記強調装置は前記文字列を含む前記シートを拡大して表示する請求項５又は請求項６
に記載の図面表示装置。
【請求項８】
前記文字列は、複数の文字列の論理積、論理和、否定の少なくとも一つの検索を行った
結果である、請求項５乃至請求項７のいずれか一項に記載の図面表示装置。
【請求項９】
前記文字列を含む複数の前記シートを複数のウインドウを用いて表示する展開装置を更
に備えた、請求項５乃至請求項８のいずれか一項に記載の図面表示装置。
【発明の詳細な説明】
【技術分野】
【０００１】
本発明の実施形態は、図面表示装置に関する。
【背景技術】
【０００２】
一般に複数図面を一覧表示させるためには、図面を縮小させ、ディスプレイ上にできる
だけ多くの図面を並べるという手法がある。
【先行技術文献】
【特許文献】
【０００３】
【特許文献１】特許第４７３００３３号公報
【特許文献２】特開２０１１−１５８９２９号公報
【発明の概要】
【発明が解決しようとする課題】
【０００４】
しかし、図面を縮小させた場合、図面上の線や文字などの図面要素が重なり認識しづらい
という問題が発生する。また、図面閲覧の際には、どの図面に必要な情報があるのか、素
早く判断できることが求められる。そこで、本発明が解決しようとする課題は、一度にで
きるだけ複数の図面を正確に、かつ、見やすく閲覧でき、必要な情報の所在を利用者が素
早く判断できる、図面表示装置を提供することである。
【課題を解決するための手段】
【０００５】
上記の課題を解決するために、本実施形態の図面表示装置は、図面に包含された複数の
シートを配列し、配列された複数の前記シートを表示倍率によって図面要素の表示を切り
替える図面配列機能部と、を有している。
【図面の簡単な説明】
【０００６】
【図１】実施形態にかかる図面表示システムの構成
【図２】実施形態にかかる図面閲覧のフローチャート
【図３】実施形態にかかる図面配置イメージ
【図４】実施形態にかかる図面表示切替装置のフローチャート
【図５】実施形態にかかる図面表示切替のイメージ
【図６】実施形態にかかる図面の縦横比切替イメージ
【図７】実施形態にかかる図面の検索イメージ
【図８】実施形態にかかる図面の検索部のイメージ
【図９】実施形態にかかる図面の絞込み検索イメージ
【図１０】検索文字を含む図面の展開イメージ
【発明を実施するための形態】
【０００７】
以下、実施形態を図面に基づき説明する。
【０００８】
（第１の実施形態）
以下、本実施形態にかかる図面表示、及び検索装置について、図面を参照して説明する。
【０００９】
図１に実施形態に係る図面表示システムの構成を示す。まず、閲覧したい図面（ここでは
図面１）が選択されることで、図面１がシステム上に展開される。ここで図面とは、複数
のシートが包含されているのもとする。
【００１０】
図２のフローチャートにあるように、図面読込２３にてシステムは図面１をメモリ部３に
展開し、表示部４に図面１を表示する。このとき、システムは図面配置機能１０を用いて
図面の配置切替２４を実行する。図面の配置切替２４では、図３の２７に示すような表示
部４に表示できる最大図面枚数であるm×n (mは表示部の縦方向に並べる図面枚数、nは表
示部の横方向に並べる図面枚数)枚の図面１を並べて表示する俯瞰配置、もしくは、図３
の２８に示すような図面１のシート番号の切れ目をキーとして分割した図面１を並べて表
示する分割配置のいずれか一方で表示する。
【００１１】
シート番号の切れ目は、たとえば、製品の機能ブロック単位に作成されているため、図面
の一覧表示する際に、この切れ目で改行することにより、製品の機能ブロック単位に図面
を閲覧することが可能となる。なお、切れ目はその他の区切りのよい箇所をキーとして分
割してもよい。
【００１２】
配置の切替は、表示部４に設けられた表示選択インタフェースにより実施し、俯瞰配置を
選択した場合は、図面の俯瞰配置装置１３により図面１をm×n単位に分割して配置し、分
割配置を選択した場合は、図面の分割配置装置１４により、図面１が持つシート番号の切
れ目をキーとして改行を入れて図面１を配置する。また、図面配置機能１０は、図面１を
縦一列、もしくは横一列に配置することも可能とする。
【００１３】
次に、システムは配置した図面１に対して、図面１の図面の倍率α５に応じて図面の表
示切替２５を行う。図２〜４を用いて、図面１の図面の倍率α５を変更した際の図面の表
示切替、及び、文字サイズ補正について述べる。
【００１４】
図面１を縮小した場合、そのまま縮小すると図面に記載された回路や表、文字情報などの
図面要素が複雑となり、場合によっては要素がつぶれて認知できない。そこでシステムは
、表示されている図面１の倍率α５と設定値a,b,cの値に応じて、図面の表示方法を切り
替える。設定値a,b,cは図面の表示切替の指標であり、0＜a＜b＜c＜1を満たす任意の値と
する。設定値a,b,cの値については以下、図４、５を用いた説明にて設定の目安を述べる
。
【００１５】
図面１の表示方法の切替は、図面の表示切替装置１５にて実施し、表示図面の提示装置１
６にて、図面の表示切替装置１５によって切り換えられた図面を表示部４に提示すること
によって行う。
【００１６】
なお、図面間の移動は例えば、マウスを使用し、図面の拡大/縮小は表示部４に設けられ
たインタフェースのうち、拡大ボタン、及び縮小ボタンを押下することによって実行する
。本システムはタブレット端末での使用も考慮しており、タブレット端末で使用する場合
は、図面間の移動は例えば、画面のタップ操作、図面の拡大/縮小はピンチアウト、ピン
チインによって実行する。
【００１７】
以下に、図４、５を元に、図面の倍率α５に応じた図面の表示について述べる。
【００１８】
図面の倍率α５がa以下である場合(0＜a＜α)、図５の３４のように、図面のシート番号
のみ２９を図面中央に表示させる。このときのaの値は、シート番号の「P001」のような
３〜４文字の情報は認識できるが、それ以上の情報は認識できない程度の図面サイズの値
を目安とする。
【００１９】
図面の倍率α５がa以上、b以下である場合(a≦α＜b)、図５の３５のように、システムは
図面１のシートの表題とシート番号のみ表示３０する。このときのbの値は、図面上に図
面要素を表示させると依然として混雑しており、人間の目で認知はできないものの、ある
程度の文字情報は十分に認知できる程度の図面サイズを実現できる値を目安とする。
【００２０】
図面の倍率α５がb以上、c以下である場合（b≦α＜c）、図５の３６のように、システム
は図面上から文字情報を除いた図面要素のみ表示３１する。このときのcの値は、図面要
素を表示しても図面上が混雑せず、人の目で十分に認知できる程度の図面サイズを実現で
きる値を目安とする。
【００２１】
また、図面の倍率α５が前記（b≦α＜c）を満たしている場合、どの図面を参照している
のかを把握するため、表示されている1枚の図面のおよそ1/3を占める文字サイズで図面右
下にシート番号を表示する。
【００２２】
図面の倍率α５がc以上、1以下である場合（c≦α＜1）、図５の３７のように、倍率に応
じた図面要素と拡大した文字情報の表示３２をする。文字情報については、図面の倍率α
５によっては、文字がつぶれて判別しづらくなる場合がある。そのため、文字サイズ補正
装置１７によって文字部分のみを拡大し、文字の強調表示を実施する。なお、閲覧してい
る図面のシートがよりわかりやすいように、表示部４の中央に表示されている図面のシー
ト番号を表示部４の中央下部に表示する。
【００２３】
図面の倍率α５が1以上である時は、図５の３８のように、倍率に応じた図面要素と文
字情報の表示３２を行う。このときの図面１の倍率はαの値に応じる。閲覧している図面
のシートがよりわかりやすいように、表示部４の中央に表示されている図面のシート番号
を表示部４の中央下部に表示する。
【００２４】
（第二の実施形態）
次に、図１、図６を用いて、第二の実施形態にて図面の縦横比変更装置１８について述べ
る。
【００２５】
図面１を表示する際、通常では、図６の４０に示すように、図面１の縦横比がa:b(a＜b)
となっており、図面１の横の長さが縦よりも長くなるように表示される。展開図によって
は左から右に電気が流れるように記載されており、そのような展開図において、図６の４
０のような表示をすると、図面のシートを送る回数が増えてしまう。左から右に電気が流
れるように記載されている展開図で電気回路の流れを追う際には、横方向に図面を読む方
が読みやすい。そこで、図面の縦横比変更装置１８を用いて図６の４１のように図面の縦
横比をa:c(c＜a＜b)に変更し、縦の長さはそのままで、横の長さを短くした図面表示に切
り替える。図面の縦横比を変更し、横方向に表示できるシート枚数を増やすことで、図面
の視認性の向上が実現できる。
【００２６】
展開図によっては上から下に電気が流れるように記載されているものがある。このよう
な上から下に記載された展開図に対しては、図面の縦横比をd:b(d＜a＜b)に変更し、横の
長さを通常よりも短くすることによって、縦方向に複数の図面を並べることが可能である
。
【００２７】
この図面の縦横比変更装置１８は、図面の閲覧、及び、検索結果の確認の際に任意で実
行が可能である。
【００２８】
（第三の実施形態）
次に、図７を用いて、第三の実施形態である図面検索機能１２について述べる。
【００２９】
表示部４に、図面上の製品ブロックや器具情報などの文字情報を検索するための検索窓や
複数図面がヒットした際、順次ヒットした図面を確認するためのシート送り機能を設ける
。システムは、検索窓に入力された、検索したい検索文字列そのものや、正規表現を用い
たキーワードの組み合わせである検索文字列を元に図面１の検索を実行する。検索がヒッ
トした場合、検索文字列の強調装置１９により、検索文字列が存在する図面に対して、図
面上の文字サイズの拡大、及び、ハイライトでの色付けによって検索文字列を強調表示す
る。図７にイメージを示す。なお、図７においては、ハイライトの色付けを斜線に代用し
て示している。
【００３０】
検索文字列に対し、複数図面がヒットした場合は、前記シート送り機能により、順次ヒッ
トした図面を表示する。
【００３１】
検索文字列の色付けに関しては、一度に複数の検索文字列が検索されることを考慮し、検
索文字列ごとに色を割り当て、割り当てた色で図面上でのハイライトの色付けを実現する
。例えば、ある検索文字列に対し、赤色を割り当てた場合、別の検索文字列には青色を割
り当てるようにする。
【００３２】
検索文字列の強調にあたり、検索図面の表示切替装置２１により、図面の倍率α５の値に
応じて、強調の表示を切り替える。以下に、その切替を示す。
【００３３】
第一の実施形態の図面表示の切替２５において、表示されている図面が、シート番号のみ
表示２９、もしくは、表題とシート番号のみ表示３０の場合、図面上に検索文字列がある
ことを提示するために、表示されている図面上に検索文字列に割り当てられた色で印をつ
ける。図７の５０、もしくは、５１にその例を示す。この場合、検索文字列に赤色が割り
当てられているため、図面上に赤いマークが付与されている。尚、図７では斜線で代用し
て示している。
【００３４】
第一の実施形態の図面表示の切替２５において、表示されている図面が文字情報を除く図
面要素のみ表示３１の場合、図面要素のほか、文字情報として検索文字列のみを表示する
。このとき、図面上に表示された検索文字列の文字サイズの拡大、及び、前記検索文字列
に割り当てられた色を用いたハイライト表示により検索文字列を強調する。図７の５２に
その例を示す。検索文字列以外の文字情報は表示されておらず、表示されている検索文字
列は拡大して表示され、割り当てられた赤色で強調されている。尚、図７では斜線で代用
して示している。
【００３５】
第一の実施形態の図面表示の切替２５において、倍率に応じた図面要素と拡大した文字情
報の表示３２、及び、倍率に応じた図面要素と文字情報の表示３３のとき、検索文字列の
拡大、及び、前記検索文字列に割り当てられた色を用いたハイライトでの強調表示を実施
する。
【００３６】
検索文字列に対し複数の図面がヒットした場合、前記シート送り機能により、ヒットした
箇所を順次確認することができる。前記シート送り機能を実行する際、図面上に存在する
検索文字列が視認しやすいように、検索文字列の脇に△マーク等の図記号を表示する。図
７の５３、及び、５４にてその例を示す。図面上にある検索文字列は割り当てられた赤色
で強調されており、その下にある△マークによって、その場所が一目で確認できるように
なっている。前記△マーク等の記号は、前記シート送り機能の実行に併せて順次移動し、
図面上の検索文字列を指し示すようにする。
【００３７】
（第四の実施形態）
次に、第四の実施形態である検索図面の絞込み装置２０について図８と図９を用いて説明
する。第三の実施形態で述べた検索がヒットした後、絞込み検索を用いることで、重ねて
検索することができる。絞込み検索では、ある検索によりヒットした図面を表示部４に並
べて表示し、そこからAND(論理積)、NOT（否定）、OR(論理和)を用いて段階的に更なる検
索を行うことができる。本装置を用いることで、正規表現を知らない利用者でも簡単に複
数の検索文字列を組み合わせた検索を実施することが可能となる。
【００３８】
図８にてインタフェースの簡単なイメージを示す。５７の検索部の検索窓に検索文字列を
入力し、検索ボタンを押下すると、検索した結果が表示部４に表示される。このとき、検
索文字列を含む場合と、検索文字を含まない場合、すなわち、ある検索文字列のNOT検索
とが選択可能である。絞込み検索を実施する場合は、５６の絞込み検索選択部にて、検索
条件を指定して検索を実施する。
【００３９】
検索を実行すると、検索文字列は５５の検索文字列履歴表示部に履歴として表示される。
複数回絞込み検索をした後で、以前の検索結果を閲覧したい場合には、５５に表示された
検索文字列を選択することによって、以前の検索結果を表示することができる。５８は検
索にヒットしている図面の条件がわかりやすいように、検索にヒットした箇所を色付けし
た図を表示したものである。図８は、図９の６２の絞込み検索を用いたAND検索のイメー
ジを示している。
【００４０】
図９では、説明のため、６０のようにAAからFFまでの文字列を２つ含んだ１枚図面が、表
示部４に複数並べて表示されているものをイメージとして示す。図９では、最初の検索文
字列を「AA」とし、ヒットした図面に対して、絞込み検索を行う。このとき、２回目の検
索文字列として「BB」を指定し、ANDやNOT、ORを用いて絞込み検索を実施する例を示す。
【００４１】
まず、絞込み検索を用いてAND検索を実行する場合について述べる。第三の実施形態で述
べた検索を行い、絞込み検索状態、すなわち、検索でヒットした図面が一覧となった状態
から、AND検索を実行する。絞込み検索のイメージを図９の６１に示す。システムは、検
索文字列「AA」が存在する図面のみを一覧で並べて表示する。このとき、システムは図８
の５５の検索文字列履歴表示部に検索文字列「AA」を表示する。
【００４２】
この状態から、ANDを用いた絞込み検索モードを選択し、２回目の検索文字列である「BB
」を用いて検索する。「BB」の検索がヒットした状態を、図９の６２に示す。検索文字列
「AA」と「BB」が含まれた該当図面のみを一覧で表示し、検索文字列「BB」が含まれてい
ない図面は表示しない。このとき、検索文字列「AA」には赤色が、「BB」には青色がそれ
ぞれ割り当てられているため、割り当てられた色でハイライト表示を行うことによって、
図面上の検索文字を強調する。このとき、図８の５８に示すように、ヒットした条件を図
で表現することで、表示部４に表示されている図面がどのような条件で検索したものかを
一目で確認できるようにする。なお、図９ではハイライト表示を斜線に代用して示してい
る。
【００４３】
次に、絞込み検索を用いてNOT検索を実行する場合について述べる。AND検索と同様に、検
索でヒットした図面が一覧になった状態から、NOT検索を実行する。図９の６０の状態か
ら、2回目の検索文字列を「BB」とし、図８の５７の選択にて「BB」を含まない状態で、A
ND検索を実行することにより、NOT検索が可能である。NOT検索を行った状態を図９の６３
に示す。検索文字列「AA」がふくまれていたとしても「BB」が含まれた図面はヒットせず
、一覧に表示されない。検索文字列「AA」に割り当てられた赤色でハイライト表示を行う
ことによって、図面上の検索文字を強調する。このとき、図８の５８の部位に、ヒットし
た条件がわかりやすいように図で表示する。なお、図８ではハイライト表示を斜線に代用
して示している。
【００４４】
次に、絞込み検索を用いてOR検索を実行する場合について述べる。AND検索と同様に、検
索でヒットした図面が一覧になった状態からOR検索を実行する。図９の６０の状態から、
２回目の検索文字列を「BB」とし、OR検索を実行した状態を図８の５８に示す。
【００４５】
検索文字列「AA」と「BB」が含まれた図面の他、「AA」は含まれていないが、「BB」は含
まれている図面も併せて一覧で表示する。検索文字列「AA」には赤色が、「BB」には青色
がそれぞれ割り当てられているため、割り当てられた色でハイライト表示を行うことによ
って、図面上の検索文字を強調する。このとき、図８の５８の部位に、ヒットした条件が
わかりやすいように図で表示する。
【００４６】
利用者は、AND、NOT、ORの条件を組み合わせることで、閲覧したい図面を段階的に絞り込
むことが可能である。検索結果一覧時に、図面の倍率α５を変更した場合は、検索文字列
の強調装置１９、及び、検索図面の表示切替装置２１により、第三の実施形態と同じ表示
を行う。
【００４７】
図８の例では検索文字列は「AA」と「BB」の２つを指定したが、絞込み検索では、複数個
の検索文字列を指定し、検索を実施することができる。
【００４８】
（第五の実施形態）
次に、第五の実施形態に係る検索文字を含む図面の展開装置２２について、図１０を用
いて説明する。図面の展開装置２２では、第三の実施形態、及び、第四の実施形態にてヒ
ットした図面の詳細を一度に複数枚分確認するため、複数ウィンドウ用いてヒットした図
面を表示する。システムは図面１シートにつき１ウィンドウとなるように図面を展開し、
そのウィンドウを検索にヒットした枚数分、表示部４に並べて配置する。表示部４に並べ
て表示するウィンドウ枚数は、設定値により変更可能とする。この図面の展開装置２２に
より、シート送りを行うことなく、図面要素がもれなく表示されている図面上で、検索文
字列を確認することができる。
【００４９】
図１０は、正規表現を用いて「A」を含む検索文字列を検索したと仮定し、検索文字を含
む図面の展開装置２２を用いて、表示部４上にヒットした図面７０、７１、７２を展開し
たイメージを示したものである。システムは図面１シートにつき１ウィンドウの図面を展
開する。このとき、７０では「＜AAA＞」が、７１では「＜ABB＞」が、７２では「＜ABC
＞」がそれぞれのウィンドウの中央部に表示されているように、検索でヒットした箇所が
、ウィンドウの中央部に来るように図面位置を調整し、表示する。
【００５０】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。これら実施形態やその変形は、発明の範囲や要旨に
含まれると同様に、特許請求の範囲に記載された発明とその均等の範囲に含まれるもので
ある。
【符号の説明】
【００５１】
１…図面
２…読込部
３…メモリ部
４…表示部
５…図面の倍率α
１０…図面配置機能
１１…図面表示機能
１２…図面検索機能
１３…図面の俯瞰配置装置
１４…図面の分割配置装置
１５…図面の表示切替装置
１６…表示図面の提示装置
１７…文字サイズ補正装置
１８…図面の縦横比変更装置
１９…検索文字列の強調装置
２０…検索図面の絞込み装置
２１…検索図面の表示切替装置
２２…検索文字を含む図面の展開装置
２３…図面読込
２４…図面の配置切替
２５…図面の表示切替
２６…図面表示
２７…図面の俯瞰表示（m×n）の配置例
２８…図面の分割配置例
２９…シート番号のみ表示
３０…表題とシート番号のみ表示
３１…文字情報を除く図面要素のみ表示
３２…倍率に応じた図面要素と拡大した文字情報の表示
３３…倍率に応じた図面要素と文字情報の表示
３４…シート番号のみ表示の場合の図面のイメージ
３５…表題とシート番号のみ表示の場合の図面イメージ
３６…文字情報を除く図面要素のみ表示の場合の図面イメージ
３７…倍率に応じた図面要素と拡大した文字情報の表示の場合の図面イメージ
３８…倍率に応じた図面要素と文字情報の表示の場合の図面イメージ
４０…通常の縦横比の場合の図面表示イメージ
４１…縦横比を変更した場合の図面表示イメージ
５０…シート番号のみ表示の場合の検索結果イメージ
５１…表題とシート番号のみ表示の場合の検索結果イメージ
５２…文字情報を除く図面要素のみ表示の場合の検索結果イメージ
５３…倍率に応じた図面要素と拡大した文字情報の表示の場合の索結果イメージ
５４…倍率に応じた図面要素と文字情報の表示の場合の検索結果イメージ
５５…検索文字列履歴表示部
５６…絞込み検索選択部
５７…検索部
５８…検索条件可視化部
６０…検索対象図面のイメージ
６１…最初の検索文字列を「AA」とした場合の検索結果イメージ
６２…２回目の検索文字列を「BB」とし、ANDを用いて絞込み検索を実施した検索結果イ
メージ
６３…２回目の検索文字列を「BB」とし、NOTを用いて絞込み検索を実施した検索結果イ
メージ
６４…２回目の検索文字列を「BB」とし、ORを用いて絞込み検索を実施した検索結果イメ
ージ
７０〜７２…検索文字列を含む図面の展開イメージ
【図１】
2018169916.tif 000003
【図２】
2018169916.tif 000004
【図３】
2018169916.tif 000005
【図４】
2018169916.tif 000006
【図５】
2018169916.tif 000007
【図６】
2018169916.tif 000008
【図７】
2018169916.tif 000009
【図８】
2018169916.tif 000010
【図９】
2018169916.tif 000011
【図１０】
2018169916.tif 000012